【手続補正書】
【提出日】平成16年2月18日(2004.2.18)
【手続補正１】
【補正対象書類名】明細書
【補正対象項目名】発明の名称
【補正方法】変更
【補正の内容】
【発明の名称】情報再生システム及び情報再生装置
【手続補正２】
【補正対象書類名】明細書
【補正対象項目名】特許請求の範囲
【補正方法】変更
【補正の内容】
【特許請求の範囲】
【請求項１】
再生媒体に記憶されている情報を再生する情報再生装置と、再生媒体に関連する関連情報を有する情報サーバとを備え、前記情報再生装置と前記情報サーバとが通信路を介して相互に通信可能に接続された情報再生システムであって、
前記情報再生装置は、
再生媒体に記憶されている情報の読み取りを行う読取り手段と、
前記読取り手段から読み出される情報の再生を行う再生手段と、
前記情報サーバをアクセスして再生媒体に関連する関連情報の取得を行う関連情報取得手段と、
再生媒体が装填されると、前記読取り手段を起動させ、該装填された再生媒体に記憶されている情報の読み取りを開始させると共に、前記情報の読み取り開始に際して前記読取り手段から読み出される識別情報を取得し、前記装填された再生媒体の種別を識別して、該識別結果に基づいて、前記再生手段に前記装填された再生媒体の種別に応じた再生を行わせ、且つ該識別結果に基づいて、該種別に応じた再生を行わせつつ並列的に、前記関連情報取得手段に、前記装填された再生媒体に関連する関連情報の取得を前記情報サーバから行わせる起動手段と、
を具備することを特徴とする情報再生システム。
【請求項２】
前記起動手段は、前記再生媒体の種別がオーディオ用のディスクと識別した際に前記関連情報取得手段を起動させることを特徴とする請求項１に記載の情報再生システム。
【請求項３】
前記起動手段は、前記再生媒体の種別がオーディオ用のディスクと識別した際に前記関連情報取得手段を起動させ、前記再生媒体の種別がＲＯＭ用のディスクと識別した際には前記関連情報取得手段を起動させないことを特徴とする請求項１に記載の情報再生システム。
【請求項４】
前記関連情報取得手段は、前記読取り手段が読み取った情報の中から、前記情報サーバに設けられた前記関連情報を備えるホームページのアドレス情報を取得し、当該アドレス情報に基づいて前記情報サーバをアクセスすることを特徴とする請求項２又は３に記載の情報再生システム。
【請求項５】
前記識別情報と前記情報サーバに設けられた前記関連情報を備えるホームページのアドレス情報とが対応付けられた検索テーブルを備え、
前記関連情報取得手段は、前記読取り手段から読み出された識別情報に対応するアドレス情報を前記検索テーブルから検索し、該検索したアドレス情報に基づいて前記情報サーバをアクセスすることを特徴とする請求項２又は３に記載の情報再生システム。
【請求項６】
所定のキーワード情報と前記情報サーバに設けられた前記関連情報を備えるホームページのアドレス情報とが対応付けられた検索テーブルを備え、
前記関連情報取得手段は、前記読取り手段から読み出された情報の中から所定のキーワード情報を取得し、該キーワード情報に対応するアドレス情報を前記検索テーブルから検索し、該検索したアドレス情報に基づいて前記情報サーバをアクセスすることを特徴とする請求項２又は３に記載の情報再生システム。
【請求項７】
前記検索テーブルは、前記通信路を介して前記情報再生装置と相互に通信可能に接続された他の情報サーバに設けられていることを特徴とする請求項５又は６に記載の情報再生システム。
【請求項８】
前記情報再生装置は、前記関連情報取得手段が取得した関連情報を表示する表示手段を有することを特徴とする請求項１〜７のいずれか１項に記載の情報再生システム。
【請求項９】
再生媒体に関連する関連情報を有する情報サーバと相互に通信可能に接続され、再生媒体に記憶されている情報を再生する情報再生装置であって、
再生媒体に記憶されている情報の読み取りを行う読取り手段と、
前記読取り手段から読み出される情報の再生を行う再生手段と、
前記情報サーバをアクセスして再生媒体に関連する関連情報の取得を行う関連情報取得手段と、
再生媒体が装填されると、前記読取り手段を起動させ、該装填された再生媒体に記憶されている情報の読み取りを開始させると共に、前記情報の読み取り開始に際して前記読取り手段から読み出される識別情報を取得し、前記装填された再生媒体の種別を識別して、該識別結果に基づいて、前記再生手段に前記装填された再生媒体の種別に応じた再生を行わせ、且つ該識別結果に基づいて、該種別に応じた再生を行わせつつ並列的に、前記関連情報取得手段に、前記装填された再生媒体に関連する関連情報の取得を前記情報サーバから行わせる起動手段と、を具備することを特徴とする情報再生装置。
【請求項１０】
前記起動手段は、前記再生媒体の種別がオーディオ用のディスクと識別した際に前記関連情報取得手段を起動させることを特徴とする請求項９に記載の情報再生装置。
【請求項１１】
前記起動手段は、前記再生媒体の種別がオーディオ用のディスクと識別した際に前記関連情報取得手段を起動させ、前記再生媒体の種別がＲＯＭ用のディスクと識別した際には前記関連情報取得手段を起動させないことを特徴とする請求項９に記載の情報再生装置。
【請求項１２】
前記関連情報取得手段は、前記読取り手段が読み取った情報の中から、前記情報サーバに設けられた前記関連情報を備えるホームページのアドレス情報を取得し、当該アドレス情報に基づいて前記情報サーバをアクセスすることを特徴とする請求項１０又は１１に記載の情報再生装置。
【請求項１３】
前記識別情報と前記情報サーバに設けられた前記関連情報を備えるホームページのアドレス情報とが対応付けられた検索テーブルを備え、
前記関連情報取得手段は、前記読取り手段から読み出された識別情報に対応するアドレス情報を前記検索テーブルから検索し、該検索したアドレス情報に基づいて前記情報サーバをアクセスすることを特徴とする請求項１０又は１１に記載の情報再生装置。
【請求項１４】
所定のキーワード情報と前記情報サーバに設けられた前記関連情報を備えるホームページのアドレス情報とが対応付けられた検索テーブルを備え、
前記関連情報取得手段は、前記読取り手段から読み出された情報の中から所定のキーワード情報を取得し、該キーワード情報に対応するアドレス情報を前記検索テーブルから検索し、該検索したアドレス情報に基づいて前記情報サーバをアクセスすることを特徴とする請求項１０又は１１に記載の情報再生装置。
【請求項１５】
前記識別情報と前記情報サーバに設けられた前記関連情報を備えるホームページのアドレス情報とが対応付けられた検索テーブルを有する他の情報サーバと前記通信路を介して相互に通信可能に接続され、
前記関連情報取得手段は、前記読取り手段から読み出された識別情報に対応するアドレス情報を前記検索テーブルから検索し、該検索したキーワード情報に基づいて前記情報サーバをアクセスすることを特徴とする請求項１０又は１１に記載の情報再生装置。
【請求項１６】
前記キーワード情報と前記情報サーバに設けられた前記関連情報を備えるホームページのアドレス情報とが対応付けられた検索テーブルを有する他の情報サーバと前記通信路を介して相互に通信可能に接続され、
前記関連情報取得手段は、前記読取り手段から読み出され情報の中から所定のキーワード情報を取得し、該キーワード情報に対応するアドレス情報を前記検索テーブルから検索し、該検索したアドレス情報に基づいて前記情報サーバをアクセスすることを特徴とする請求項１０又は１１に記載の情報再生装置。
【請求項１７】
前記関連情報取得手段が取得した関連情報を表示する表示手段を有することを特徴とする請求項９〜１６のいずれか１項に記載の情報再生装置。
【請求項１８】
再生媒体に記憶されている情報を再生する情報再生装置と、再生媒体に関連する関連情報を有する情報サーバとが相互に通信可能に接続された情報再生システムにおける情報再生方法であって、
再生媒体に記憶されている情報の読み取りを行う読取り工程と、
前記読取り工程において読み出される情報の再生を行う再生工程と、
前記情報サーバをアクセスして再生媒体に関連する関連情報の取得を行う関連情報取得工程と、
前記情報再生装置に再生媒体が装填されると、前記読取り工程を起動させ、該装填された再生媒体に記憶されている情報の読み取りを開始させると共に、前記情報の読み取り開始に際して前記読み取り工程において読み出される識別情報を取得し、前記装填された再生媒体の種別を識別して、該識別結果に基づいて、前記再生工程に前記装填された再生媒体の種別に応じた再生を行わせ、且つ該識別結果に基づいて、該種別に応じた再生を行わせつつ並列的に、前記関連情報取得工程に、前記装填された再生媒体に関連する関連情報の取得を前記情報サーバから行わせる起動工程と、を具備することを特徴とする情報再生方法。
【請求項１９】
再生媒体に関連する関連情報を有する情報サーバと相互に通信可能に接続され、再生媒体に記憶されている情報を再生する情報再生装置における情報再生方法であって、
再生媒体に記憶されている情報の読み取りを行う読取り工程と、
前記読取り工程において読み出される情報の再生を行う再生工程と、
前記情報サーバをアクセスして再生媒体に関連する関連情報の取得を行う関連情報取得工程と、
再生媒体が装填されると、前記読取り工程を起動させ、該装填された再生媒体に記憶されている情報の読み取りを開始させると共に、前記情報の読み取り開始に際して前記読み取り工程において読み出される識別情報を取得し、前記装填された再生媒体の種別を識別して、該識別結果に基づいて、前記再生工程に前記装填された再生媒体の種別に応じた再生を行わせ、且つ該識別結果に基づいて、該種別に応じた再生を行わせつつ並列的に、前記関連情報取得工程に前記装填された再生媒体に関連する関連情報の取得を前記情報サーバから行わせる起動工程と、を具備することを特徴とする情報再生方法。
【手続補正３】
【補正対象書類名】明細書
【補正対象項目名】０００６
【補正方法】変更
【補正の内容】
【０００６】
【発明が解決しようとする課題】
本発明は、かかる問題を解決すべくなされたものであり、その目的とするところは、再生媒体がセットされると、そのセットされた再生媒体の種別に応じた再生を行うと共に、その再生媒体に関連する関連情報を自動的に表示などで告知するコンピュータを提供することにある。


【手続補正４】
【補正対象書類名】明細書
【補正対象項目名】０００７
【補正方法】変更
【補正の内容】
【０００７】
【課題を解決するための手段】
請求項１に記載された発明は、再生媒体に記憶されている情報を再生する情報再生装置と、再生媒体に関連する関連情報を有する情報サーバとを備え、前記情報再生装置と前記情報サーバとが通信路を介して相互に通信可能に接続された情報再生システムであって、前記情報再生装置は、再生媒体に記憶されている情報の読み取りを行う読取り手段と、前記読取り手段から読み出される情報の再生を行う再生手段と、前記情報サーバをアクセスして再生媒体に関連する関連情報の取得を行う関連情報取得手段と、再生媒体が装填されると、前記読取り手段を起動させ、該装填された再生媒体に記憶されている情報の読み取りを開始させると共に、前記情報の読み取り開始に際して前記読取り手段から読み出される識別情報を取得し、前記装填された再生媒体の種別を識別して、該識別結果に基づいて、前記再生手段に前記装填された再生媒体の種別に応じた再生を行わせ、且つ該識別結果に基づいて、該種別に応じた再生を行わせつつ並列的に、前記関連情報取得手段に、前記装填された再生媒体に関連する関連情報の取得を前記情報サーバから行わせる起動手段と、を具備することを特徴とする。
請求項２に記載された発明は、請求項１に記載の情報再生システムであって、前記起動手段は、前記再生媒体の種別がオーディオ用のディスクと識別した際に前記関連情報取得手段を起動させることを特徴とする。
請求項３に記載の発明は、請求項１に記載の情報再生システムであって、前記起動手段は、前記再生媒体の種別がオーディオ用のディスクと識別した際に前記関連情報取得手段を起動させ、前記再生媒体の種別がＲＯＭ用のディスクと識別した際には前記関連情報取得手段を起動させないことを特徴とする。
請求項４に記載の発明は、請求項２又は３に記載の情報再生システムであって、前記関連情報取得手段は、前記読取り手段が読み取った情報の中から、前記情報サーバに設けられた前記関連情報を備えるホームページのアドレス情報を取得し、当該アドレス情報に基づいて前記情報サーバをアクセスすることを特徴とする。
請求項５に記載の発明は、請求項２又は３に記載の情報再生システムであって、前記識別情報と前記情報サーバに設けられた前記関連情報を備えるホームページのアドレス情報とが対応付けられた検索テーブルを備え、前記関連情報取得手段は、前記読取り手段から読み出された識別情報に対応するアドレス情報を前記検索テーブルから検索し、該検索したアドレス情報に基づいて前記情報サーバをアクセスすることを特徴とする。
請求項６に記載の発明は、請求項２又は３に記載の情報再生システムであって、所定のキーワード情報と前記情報サーバに設けられた前記関連情報を備えるホームページのアドレス情報とが対応付けられた検索テーブルを備え、前記関連情報取得手段は、前記読取り手段から読み出された情報の中から所定のキーワード情報を取得し、該キーワード情報に対応するアドレス情報を前記検索テーブルから検索し、該検索したアドレス情報に基づいて前記情報サーバをアクセスすることを特徴とする。
請求項７に記載の発明は、請求項５又は６に記載の情報再生システムであって、前記検索テーブルは、前記通信路を介して前記情報再生装置と相互に通信可能に接続された他の情報サーバに設けられていることを特徴とする。
請求項８に記載の発明は、請求項１〜７のいずれか１項に記載の情報再生システムであって、前記情報再生装置は、前記関連情報取得手段が取得した関連情報を表示する表示手段を有することを特徴とする請求項１〜７のいずれか１項に記載の情報再生システム。
請求項９に記載の発明は、再生媒体に関連する関連情報を有する情報サーバと相互に通信可能に接続され、再生媒体に記憶されている情報を再生する情報再生装置であって、再生媒体に記憶されている情報の読み取りを行う読取り手段と、前記読取り手段から読み出される情報の再生を行う再生手段と、前記情報サーバをアクセスして再生媒体に関連する関連情報の取得を行う関連情報取得手段と、再生媒体が装填されると、前記読取り手段を起動させ、該装填された再生媒体に記憶されている情報の読み取りを開始させると共に、前記情報の読み取り開始に際して前記読取り手段から読み出される識別情報を取得し、前記装填された再生媒体の種別を識別して、該識別結果に基づいて、前記再生手段に前記装填された再生媒体の種別に応じた再生を行わせ、且つ該識別結果に基づいて、該種別に応じた再生を行わせつつ並列的に、前記関連情報取得手段に、前記装填された再生媒体に関連する関連情報の取得を前記情報サーバから行わせる起動手段と、を具備することを特徴とする。
請求項１０に記載の発明は、請求項９に記載の情報再生装置であって、前記起動手段は、前記再生媒体の種別がオーディオ用のディスクと識別した際に前記関連情報取得手段を起動させることを特徴とする。
請求項１１に記載の発明は、請求項９に記載の情報再生装置であって、前記起動手段は、前記再生媒体の種別がオーディオ用のディスクと識別した際に前記関連情報取得手段を起動させ、前記再生媒体の種別がＲＯＭ用のディスクと識別した際には前記関連情報取得手段を起動させないことを特徴とする。
請求項１２に記載の発明は、請求項１０又は１１に記載の情報再生装置であって、前記関連情報取得手段は、前記読取り手段が読み取った情報の中から、前記情報サーバに設けられた前記関連情報を備えるホームページのアドレス情報を取得し、当該アドレス情報に基づいて前記情報サーバをアクセスすることを特徴とする。
請求項１３に記載の発明は、請求項１０又は１１に記載の情報再生装置であって、前記識別情報と前記情報サーバに設けられた前記関連情報を備えるホームページのアドレス情報とが対応付けられた検索テーブルを備え、前記関連情報取得手段は、前記読取り手段から読み出された識別情報に対応するアドレス情報を前記検索テーブルから検索し、該検索したアドレス情報に基づいて前記情報サーバをアクセスすることを特徴とする。
請求項１４に記載の発明は、請求項１０又は１１に記載の情報再生装置であって、所定のキーワード情報と前記情報サーバに設けられた前記関連情報を備えるホームページのアドレス情報とが対応付けられた検索テーブルを備え、前記関連情報取得手段は、前記読取り手段から読み出された情報の中から所定のキーワード情報を取得し、該キーワード情報に対応するアドレス情報を前記検索テーブルから検索し、該検索したアドレス情報に基づいて前記情報サーバをアクセスすることを特徴とする。
請求項１５に記載の発明は、請求項１０又は１１に記載の情報再生装置であって、前記識別情報と前記情報サーバに設けられた前記関連情報を備えるホームページのアドレス情報とが対応付けられた検索テーブルを有する他の情報サーバと前記通信路を介して相互に通信可能に接続され、前記関連情報取得手段は、前記読取り手段から読み出された識別情報に対応するアドレス情報を前記検索テーブルから検索し、該検索したキーワード情報に基づいて前記情報サーバをアクセスすることを特徴とする。
請求項１６に記載の発明は、請求項１０又は１１に記載の情報再生装置であって、前記キーワード情報と前記情報サーバに設けられた前記関連情報を備えるホームページのアドレス情報とが対応付けられた検索テーブルを有する他の情報サーバと前記通信路を介して相互に通信可能に接続され、  前記関連情報取得手段は、前記読取り手段から読み出され情報の中から所定のキーワード情報を取得し、該キーワード情報に対応するアドレス情報を前記検索テーブルから検索し、該検索したアドレス情報に基づいて前記情報サーバをアクセスすることを特徴とする。
請求項１７に記載の発明は、請求項９〜１６のいずれか１項に記載の情報再生装置であって、前記関連情報取得手段が取得した関連情報を表示する表示手段を有することを特徴とする。
請求項１８に記載の発明は、再生媒体に記憶されている情報を再生する情報再生装置と、再生媒体に関連する関連情報を有する情報サーバとが相互に通信可能に接続された情報再生システムにおける情報再生方法であって、再生媒体に記憶されている情報の読み取りを行う読取り工程と、前記読取り工程において読み出される情報の再生を行う再生工程と、前記情報サーバをアクセスして再生媒体に関連する関連情報の取得を行う関連情報取得工程と、前記情報再生装置に再生媒体が装填されると、前記読取り工程を起動させ、該装填された再生媒体に記憶されている情報の読み取りを開始させると共に、前記情報の読み取り開始に際して前記読み取り工程において読み出される識別情報を取得し、前記装填された再生媒体の種別を識別して、該識別結果に基づいて、前記再生工程に前記装填された再生媒体の種別に応じた再生を行わせ、且つ該識別結果に基づいて、該種別に応じた再生を行わせつつ並列的に、前記関連情報取得工程に、前記装填された再生媒体に関連する関連情報の取得を前記情報サーバから行わせる起動工程と、を具備することを特徴とする。
請求項１９に記載の発明は、再生媒体に関連する関連情報を有する情報サーバと相互に通信可能に接続され、再生媒体に記憶されている情報を再生する情報再生装置における情報再生方法であって、再生媒体に記憶されている情報の読み取りを行う読取り工程と、前記読取り工程において読み出される情報の再生を行う再生工程と、前記情報サーバをアクセスして再生媒体に関連する関連情報の取得を行う関連情報取得工程と、再生媒体が装填されると、前記読取り工程を起動させ、該装填された再生媒体に記憶されている情報の読み取りを開始させると共に、前記情報の読み取り開始に際して前記読み取り工程において読み出される識別情報を取得し、前記装填された再生媒体の種別を識別して、該識別結果に基づいて、前記再生工程に前記装填された再生媒体の種別に応じた再生を行わせ、且つ該識別結果に基づいて、該種別に応じた再生を行わせつつ並列的に、前記関連情報取得工程に前記装填された再生媒体に関連する関連情報の取得を前記情報サーバから行わせる起動工程と、を具備することを特徴とする。
【手続補正５】
【補正対象書類名】明細書
【補正対象項目名】００６２
【補正方法】変更
【補正の内容】
【００６２】
【発明の効果】
本発明によれば、再生媒体をセットするだけで自動的にその再生媒体の種別に応じた再生を行うと共に、その再生媒体がオーディオディスクの場合には、その再生媒体に関連する関連情報を得ることができるので、操作性の向上が可能となる。